(57)【要約】【課題】メンテナンス作業を行うことなく、貯留浸透槽内に堆積した土砂を除去することが可能な雨水貯留浸透施設を提供する。【解決手段】地下に埋設された貯留浸透槽１に雨水等を貯留及び／又は該貯留浸透槽１を介して雨水等を土中に浸透させる雨水貯留浸透施設において、貯溜浸透槽１に、この貯溜浸透槽１の内外を連通するオリフィス管２及びオーバーフロー管３の両方又はそのいずれか一方と、貯溜浸透槽１の底面との間に所定の間隙ｇを介して立ち上げられた土砂吸引管４とを設けるとともに、土砂吸引管４の上端部にオリフィス管２又はオーバーフロー管３を接続し、貯溜浸透槽１の底面に堆積した土砂が、間隙ｇから土砂吸引管４内に流入して土砂吸引管４内を上昇する雨水の上昇流の作用により土砂吸引管４に吸引されて雨水とともにオリフィス管２又はオーバーフロー管３から貯溜浸透槽１外に排出される。【選択図】図１
2008106513.tif 000002
【特許請求の範囲】
【請求項１】
地下に埋設された貯留浸透槽に雨水等を貯留及び／又は該貯留浸透槽を介して雨水等を土中に浸透させる雨水貯留浸透施設において、
前記貯溜浸透槽に、この貯溜浸透槽の内外を連通するオリフィス管及びオーバーフロー管の両方又はそのいずれか一方と、貯溜浸透槽の底面との間に所定の間隙を介して立ち上げられた土砂吸引管とが設けられるとともに、この土砂吸引管の上端部に前記オリフィス管又はオーバーフロー管が接続され、
前記貯溜浸透槽の底面に堆積した土砂が、前記間隙から土砂吸引管内に流入して該管内を上昇する雨水の上昇流の作用により該土砂吸引管に吸引されて雨水とともに前記オリフィス管又はオーバーフロー管から貯溜浸透槽外に排出されることを特徴とする雨水貯溜浸透施設。
【請求項２】
地下に埋設された貯留浸透槽に雨水等を貯留及び／又は該貯留浸透槽を介して雨水等を土中に浸透させる雨水貯留浸透施設において、
前記貯溜浸透槽に、この貯溜浸透槽の内外を連通するオリフィス管及びオーバーフロー管の両方又はそのいずれか一方と、貯溜浸透槽の底面との間に所定の間隙を介して立ち上げられた土砂吸引管とが設けられるとともに、この土砂吸引管の上端部に前記オリフィス管又はオーバーフロー管が接続され、
前記土砂吸引管の下端部に対応する貯留浸透槽の底面に、該底面から下方へ向かって縮径された傾斜面で囲まれた平坦面部を有する凹部が設けられ、この平坦面部から前記所定の間隙を介して土砂吸引管が立ち上げられており、
前記貯溜浸透槽底面の凹部に堆積した土砂が、前記間隙から土砂吸引管内に流入して該管内を上昇する雨水の上昇流の作用により該土砂吸引管に吸引されて雨水とともに前記オリフィス管又はオーバーフロー管から貯溜浸透槽外に排出されることを特徴とする雨水貯溜浸透施設。
【請求項３】
前記貯留浸透槽内には、一定方向に斜面部が形成された複数の充填部材が、雨水中の土砂が雨水の流れによって自然に集まる土砂集積点を形成するように積層されるとともに、この土砂集積点から排出落下する土砂を収集する沈砂部が貯留浸透槽の底面に設けられ、
前記土砂吸引管の下端部が沈砂部に対応して配置されていることを特徴とする請求項１記載の雨水貯留浸透施設。
【請求項４】
前記貯留浸透槽内には、一定方向に斜面部が形成された複数の充填部材が、雨水中の土砂が雨水の流れによって自然に集まる土砂集積点を形成するように積層されるとともに、この土砂集積点から排出落下する土砂を収集する沈砂部が貯留浸透槽の底面に設けられ、
前記沈砂部に対応して貯留浸透槽の底面から下方へ向かって縮径された傾斜面で囲まれた平坦面部を有する凹部が配置されていることを特徴とする請求項２記載の雨水貯留浸透施設。
【発明の詳細な説明】
【技術分野】
【０００１】
本発明は、地下に埋設された貯留浸透槽に雨水等を貯留及び／又は該貯留浸透槽を介して雨水等を土中に浸透させる雨水貯留浸透施設に関する。
【背景技術】
【０００２】
通常、雨水貯留浸透施設では、雨水とともに土砂などの濁質が槽内に流れ込むことを防止するため、雨水の流入部に泥溜め枡を備えている。しかし、長期間使用している間に、泥溜め枡を通過した土砂など（土、砂、その他の夾雑物。以下「土砂」という。）が貯留槽の底面に沈殿して、土砂・汚泥となって堆積する。
【０００３】
一方、貯留槽の内部には、多数の充填部材が水平に並べられるとともに、上下に重ねられて設置されており、堆積した土砂を除去することは難しい。
【０００４】
このため、貯留槽の内容積が徐々に減少して雨水の貯留量が少なくなる。そして、内容積が極端に少なくなってしまうと、雨水貯留浸透施設の流出抑制効果が機能しなくなるおそれがあった。
【０００５】
また、浸透槽にあっては、槽内へ流入した土砂が堆積することにより雨水浸透機能を著しく阻害するおそれがあった。
【０００６】
このような問題を解決するため、貯留槽内に堆積した土砂を除去する処理の容易化を図った雨水貯留浸透施設が知られている（例えば、特許文献１参照。）。
【０００７】
上記特許文献１に記載された雨水貯留浸透施設は、貯水槽形成用凹部の底部に、清掃時に作業員が入ることができる程度の空間を備えた土台枠を設置し、貯水空間形成用構造体（充填部材）を、この土台枠上に連通状態で載置積層化するとともに、その上面は覆土による埋設手段を施すことを特徴としたものである。
【特許文献１】特開２００１−９０１６７号公報
【発明の開示】
【発明が解決しようとする課題】
【０００８】
しかしながら、近年の都市洪水などの問題から都市圏の治水を目的として、宅地内へ小規模の雨水貯留・浸透槽を設置することが増加しており、このような小規模の雨水貯留・浸透槽においては、上記特許文献１に記載された貯水槽形成用凹部の底部に、清掃時に作業員が入ることができる程度の空間を備えた土台枠を備えることは困難である。また、宅地の住人が雨水貯留・浸透槽の清掃作業を行うことは難しいといった問題もある。
【０００９】
本発明は、このような事情に鑑み創案されたもので、メンテナンス作業を行うことなく、貯留浸透槽内に堆積した土砂を除去することが可能な雨水貯留浸透施設を提供することを目的とするものである。
【課題を解決するための手段】
【００１０】
上記の目的を達成するため本発明は、地下に埋設された貯留浸透槽に雨水等を貯留及び／又は該貯留浸透槽を介して雨水等を土中に浸透させる雨水貯留浸透施設において、前記貯溜浸透槽に、この貯溜浸透槽の内外を連通するオリフィス管及びオーバーフロー管の両方又はそのいずれか一方と、貯溜浸透槽の底面との間に所定の間隙を介して立ち上げられた土砂吸引管とが設けられるとともに、この土砂吸引管の上端部に前記オリフィス管又はオーバーフロー管が接続され、前記貯溜浸透槽の底面に堆積した土砂が、前記間隙から土砂吸引管内に流入して該管内を上昇する雨水の上昇流の作用により該土砂吸引管に吸引されて雨水とともに前記オリフィス管又はオーバーフロー管から貯溜浸透槽外に排出されることを特徴とする。
【００１１】
この発明によれば、貯溜浸透槽の内外を連通するオリフィス管及びオーバーフロー管の両方又はそのいずれか一方と、貯溜浸透槽の底面との間に所定の間隙を介して立ち上げられた土砂吸引管とが設けられるとともに、この土砂吸引管の上端部に前記オリフィス管又はオーバーフロー管が接続されているので、貯留浸透槽内に貯留された雨水は、この間隙から土砂吸引管内に流入し、土砂吸引管を介してオリフィス管又はオーバーフロー管から排水される。この排水過程において、前記間隙から土砂吸引管に流入される雨水流が上昇流として作用し、土砂吸引管の下端部近傍の貯留浸透槽の底面に堆積した土砂が土砂吸引管に吸引され、雨水とともにオリフィス管又はオーバーフロー管から貯留浸透槽外に排出される。
【００１２】
このように、貯溜浸透槽の底面に堆積した土砂が、前記間隙から土砂吸引管内に流入して該管内を上昇する雨水の上昇流の作用により該土砂吸引管に吸引されて雨水とともに前記オリフィス管又はオーバーフロー管から貯溜浸透槽外に排出されるので、貯留浸透槽の底面に堆積した土砂を自動的に除去することができ、メンテナンス作業を行うことなく、貯留浸透槽内に堆積した土砂を除去することが可能である。
【００１３】
本発明は、地下に埋設された貯留浸透槽に雨水等を貯留及び／又は該貯留浸透槽を介して雨水等を土中に浸透させる雨水貯留浸透施設において、前記貯溜浸透槽に、この貯溜浸透槽の内外を連通するオリフィス管及びオーバーフロー管の両方又はそのいずれか一方と、貯溜浸透槽の底面との間に所定の間隙を介して立ち上げられた土砂吸引管とが設けられるとともに、この土砂吸引管の上端部に前記オリフィス管又はオーバーフロー管が接続され、前記土砂吸引管の下端部に対応する貯留浸透槽の底面に、該底面から下方へ向かって縮径された傾斜面で囲まれた平坦面部を有する凹部が設けられ、この平坦面部から前記所定の間隙を介して土砂吸引管が立ち上げられており、前記貯溜浸透槽底面の凹部に堆積した土砂が、前記間隙から土砂吸引管内に流入して該管内を上昇する雨水の上昇流の作用により該土砂吸引管に吸引されて雨水とともに前記オリフィス管又はオーバーフロー管から貯溜浸透槽外に排出されることを特徴とする。
【００１４】
この発明によれば、貯留浸透槽の底面に、該底面から下方へ向かって縮径された傾斜面で囲まれた平坦面部を有する凹部が設けられているので、雨水とともに槽内に流入した土砂が凹部に集中して堆積する。そして、凹部の平坦面部から所定の間隙を介して土砂吸引管が立ち上げられており、土砂吸引管の上端部に前記オリフィス管又はオーバーフロー管が接続されているので、凹部に堆積した土砂が前記間隙から土砂吸引管内に流入して該管内を上昇する雨水の上昇流の作用により土砂吸引管に吸引され、雨水とともにオリフィス管又はオーバーフロー管から貯留浸透槽外に排出される。
【００１５】
したがって、貯留浸透槽の底面に堆積した土砂を自動的に効率良く除去することができるので、メンテナンス作業を行うことなく、貯留浸透槽内に堆積した土砂を除去することが可能である。
【００１６】
本発明は、上記構成の雨水貯留浸透施設において、前記貯留浸透槽内には、一定方向に斜面部が形成された複数の充填部材が、雨水中の土砂が雨水の流れによって自然に集まる土砂集積点を形成するように積層されるとともに、この土砂集積点から排出落下する土砂を収集する沈砂部が貯留浸透槽の底面に設けられ、前記土砂吸引管の下端部が沈砂部に対応して配置されていることを特徴とする。
【００１７】
この発明によれば、土砂集積点から排出落下する土砂を収集する沈砂部が、土砂吸引管の下端部に対応する貯留浸透槽の底面に設けられているので、雨水とともに槽内に流入した土砂が沈砂部に集中して堆積する。そして、沈砂部から所定の間隙を介して土砂吸引管が立ち上げられており、土砂吸引管の上端部に前記オリフィス管又はオーバーフロー管が接続されているので、沈砂部に堆積した土砂が前記間隙から土砂吸引管内に流入して該管内を上昇する雨水の上昇流の作用により土砂吸引管に吸引され、雨水とともにオリフィス管又はオーバーフロー管から貯留浸透槽外に排出される。
【００１８】
したがって、貯留浸透槽の底面に堆積した土砂を自動的に効率良く除去することができるので、メンテナンス作業を行うことなく、貯留浸透槽内に堆積した土砂を除去することが可能である。
【００１９】
本発明は、上記構成の雨水貯留浸透施設において、前記沈砂部に対応して貯留浸透槽の底面から下方へ向かって縮径された傾斜面で囲まれた平坦面部を有する凹部を配置したことを特徴とする。
【００２０】
この発明によれば、沈砂部に対応して凹部が配置されているので、雨水とともに槽内に流入した土砂が凹部に集中して堆積する。したがって、貯留浸透槽の底面に堆積した土砂を効率良く自動的に除去することができるので、メンテナンス作業を行うことなく、貯留浸透槽内に堆積した土砂を除去することが可能である。
【発明の効果】
【００２１】
本発明によれば、メンテナンス作業を行うことなく、貯留浸透槽内に堆積した土砂を除去することが可能になる。
【発明を実施するための最良の形態】
【００２２】
＜第１実施形態＞
以下、本発明の第１実施形態について、図面を参照して説明する。
【００２３】
図１には、本発明の第１実施形態に係る雨水貯留浸透施設の概略構成が示されている。
【００２４】
この雨水貯留浸透施設は、大雨が降ったときに雨水を一時的に貯留し、河川流量が急激に増大するのを防止する流出抑制効果を有するものである。そして、貯留された雨水等を植木への散水や洗車用水、非常時の生活用水や防火用水として利用することもできるものであり、図１に示すように、貯留浸透槽１を備えたものである。
【００２５】
貯留浸透槽１は、地面を平面形状が矩形状に掘下げて造成された掘削部内に設けられ、掘削部の底面は、基本的には平坦面となっている。
【００２６】
また、貯留浸透槽１の周囲は、遮水シート（図示省略。雨水浸透施設の場合は、遮水シートの代わりに透水シート）で被覆されており、貯留浸透槽１の内部空間に雨水を貯留できるように図られている。
【００２７】
貯留浸透槽１の上部には、周辺に降った雨水等を集める側溝等から雨水等を導く導水管１０や貯留浸透槽１が満水になった場合に雨水を放流させるためのオーバーフロー管３が接続されており、貯留浸透槽１の下部には、貯留浸透槽１に貯められた雨水を徐々に流出させるオリフィス管２が設けられている。
【００２８】
なお、オリフィス管２やオーバーフロー管３から排出される雨水は取水枡Ａ・雨水本管Ｂに流入されるようにしても良い。また、オリフィス管２及びオーバーフロー管３は、両方又はそのいずれか一方を設けるものであっても良い。
【００２９】
また、貯溜浸透槽１には、貯溜浸透槽１の底面との間に所定の間隙ｇを介して立ち上げられた土砂吸引管４が設けられるとともに、この土砂吸引管４の上端部にオリフィス管２又はオーバーフロー管３が接続されている。
【００３０】
このように所定の間隙ｇが土砂吸引管４の下端部と貯留浸透槽１の底面との間に設けられており、貯溜浸透槽１の底面に堆積した土砂は、間隙ｇから土砂吸引管４内に流入して該土砂吸引管４内を上昇する雨水の上昇流の作用により土砂吸引管４に吸引されて雨水とともにオリフィス管２又はオーバーフロー管３から貯溜浸透槽１外に排出されるようになされている。
【００３１】
この間隙ｇは、５ｍｍ以上５０ｍｍ以下に設定されるのが望ましい。これは、間隙ｇが５ｍｍ未満の場合は、上昇流により貯留浸透槽１底面に堆積した土砂を吸引する際の吸い上げ抵抗が高くなること、および狭い範囲しか吸い上げることができなくなり、効率が悪くなるからである。また、間隙ｇが５０ｍｍを超えると、底面に堆積した土砂を吸い上げることができなくなる。
【００３２】
ここで、土砂吸引管４の口径は１００ｍｍ以下であることが望ましい。土砂吸引管４の口径が１００ｍｍを超えると、上昇流により貯留浸透槽１底面に堆積した土砂を吸引する際の吸い上げ流速が低下し、底面に堆積した土砂を吸い上げる効果を奏することができなくなるからである。
【００３３】
なお、通常オリフィス管の口径は５０mm程度に設定されており、オーバーフロー管の口径はオリフィス管の口径よりも大きく設定されている。
【００３４】
上記したように構成されているので、土砂吸引管４の下端部近傍の貯留浸透槽１の底面に堆積した土砂が土砂吸引管４に吸引され、雨水とともにオリフィス管２又はオーバーフロー管３から貯留浸透槽１外に排出される。
【００３５】
したがって、土砂吸引管４の下端部近傍の貯留浸透槽１の底面に堆積した土砂をメンテナンス作業を別途行うことなく自動的に除去することができる。
＜第２実施形態＞
次に、本発明の第２実施形態について、図面を参照して説明する。
【００３６】
この雨水貯留浸透施設は、図２に示すように、上記実施形態の雨水貯留浸透施設において、土砂吸引管４の下端部に対応する貯留浸透槽１の底面に、該底面から下方へ向かって縮径された傾斜面５ａで囲まれた平坦面部５ｂを有する凹部５が設けられ、この平坦面部５ｂから所定の間隙ｇを介して土砂吸引管４が立ち上げられており、この凹部５に堆積した土砂が、間隙ｇから土砂吸引管４内に流入して該管４内を上昇する雨水の上昇流の作用により土砂吸引管４に吸引されて雨水とともにオリフィス管２又はオーバーフロー管３から貯溜浸透槽１外に排出されるように構成されている点に特徴を有している。
【００３７】
なお、基本的な構成は上記の雨水貯留浸透施設と同様であるので、同一構成のものについては、同じ符号を付し、詳細な説明を省略する。
【００３８】
貯留浸透槽１の底面に設けられている凹部５は、図２に示すように、逆円錐台形状に形成されており、円錐台の側面を構成する傾斜面５ａの傾斜角θは、３０度以上６０度以下に設定されているのが望ましい。
【００３９】
これは、傾斜角θを３０度以上６０度以下にすれば、土砂吸引管４の近傍に土砂が集中して堆積するため、効率的に土砂を除去することができるからである。また、傾斜角θが３０度未満であれば、土砂が傾斜面５ａに堆積するため、土砂を集中して堆積させる効果が減少してしまい、一方傾斜角θが６０度を超えると、傾斜面５ａに堆積する土砂が減少するので土砂の集積面積が小さくなるため、土砂を除去する効果が薄くなる。
【００４０】
なお、本実施形態では、凹部５として円錐台形状のものを例にとって説明しているが、凹部５の形状は上記に限定されるものではなく、下方に向かって縮径された傾斜面で囲まれたものであれば良い。例えば、三角錐台や四角錘台などの多角錘台形状であっても良い。また、凹部５は、堀削部を上記した形状に堀削して遮水シート（又は透水シート）で被覆して形成されるが、例えば、貯留浸透槽１内に設置される充填部材の最下部に上記形状の凹状部材を内蔵することによって形成しても良い。
＜第３実施形態＞
次に、本発明の第３実施形態について、図面を参照して説明する。
【００４１】
この雨水貯留浸透施設は、図３に示すように、上記実施形態の雨水貯留浸透施設において、貯留浸透槽１内に、一定方向に斜面部が形成された複数の充填部材７が、雨水中の土砂が雨水の流れによって自然に集まる土砂集積点を形成するように積層されるとともに、この土砂集積点から排出落下する土砂を収集する沈砂部６が貯留浸透槽１の底面に設けられ、土砂吸引管４の下端部が沈砂部６に対応して配置されている点に特徴を有している。
【００４２】
なお、基本的な構成は上記の雨水貯留浸透施設と同様であるので、同一構成のものについては、同じ符号を付し、詳細な説明を省略する。
【００４３】
充填部材７は、例えば図４に示すように、ポリエチレン、ポリプロピレン、塩化ビニル、ポリエチレンテレフタレート等のプラスチックや、これらの廃プラスチック等から形成され、貯留浸透槽１の空間を確保する４本の柱状の連結部７１と、４本の連結部７１に固定され水平面に対して５度程度の角度で傾斜する傾斜板部７２とから構成されている。
【００４４】
そして、充填部材７は、例えば、傾斜板部７２により誘導された雨水が、水流を生じさせて、徐々に傾斜板部７２の間隙から落下するように配置されている。このように充填部材７が配置されていることから、土砂を含む雨水は、土砂集積点の方向に誘導されて落下し、土砂が沈砂部６に収集され堆積する。
【００４５】
この沈砂部６に対応して土砂吸引管４の下端部が配置され、沈砂部６との間に所定の間隙ｇが設けられており、沈砂部６に堆積した土砂を効率的に吸い上げて、オリフィス管２又はオーバーフロー管３から雨水とともに排出されるようになされている。
【００４６】
なお、土砂吸引管４に対応する位置に配置される充填部材７０は、図４（ｂ）に示すように傾斜板部７２に穴７０ａが形成され、この穴７０ａに土砂吸引管４が挿入されている。
【００４７】
また、沈砂部６に対応して凹部５を形成してもよく、この場合、土砂の収集機能がさらに高まるので、土砂を底面に堆積した土砂をより一層効率良く自動的に除去することができる。
【００４８】
以上、本発明の実施の形態について、一例としての実施例について説明したが、上述した実施例に限られるものではない。
【産業上の利用可能性】
【００４９】
本発明は、メンテナンス作業を行うことなく、貯留浸透槽内に堆積した土砂を除去することが可能な雨水貯留浸透施設に適用できる。
【図面の簡単な説明】
【００５０】
【図１】本発明に係る雨水貯留浸透施設の第１実施形態の断面を模式的に示す概略図である。
【図２】本発明に係る雨水貯留浸透施設の第２実施形態の凹部を模式的に示す斜視図および側面図である。
【図３】本発明に係る雨水貯留浸透施設の第３実施形態の断面を模式的に示す概略図である。
【図４】本発明に係る雨水貯留浸透施設の貯留浸透槽を構成する充填部材の一例を示す斜視図である。
【符号の説明】
【００５１】
１    貯留浸透槽
２    オリフィス管
３    オーバーフロー管
４    土砂吸引管
５    凹部
６    沈砂部
７    充填部材
【図１】
2008106513.tif 000003
【図２】
2008106513.tif 000004
【図３】
2008106513.tif 000005
【図４】
2008106513.tif 000006